(57)【要約】【課題】  ネットワークカラオケの会員以外でも、楽曲の歌唱予約したまま中座した利用者の予約曲を適切に処理する。【解決手段】  利用者識別子に基づくことのない不特定多数の利用者へ都度アカウントを発行し、楽曲を予約済みのアカウントのユーザが歌唱前にカラオケ機器から離れた場合、予約内容を維持し、戻ってきた場合に再度参加できるようにする。【選択図】図１
2015210402.tif 000002
【特許請求の範囲】
【請求項１】
同時に複数の利用者が利用でき、複数の利用者の同時利用の際の利用者の別を、予め用意されている複数のゲストアカウントとして識別できるネットワークカラオケシステムにおいて、
同一人の複数回使用を含む不特定多数の利用者の、システムへの接続の都度、利用者個体に絶対的に紐づかないゲストアカウントを発行し、
リモコンに中座ボタンを設け、
楽曲予約を含む演奏指示を行ったゲストアカウントのユーザが歌唱前に中座する際、中座ボタンを押下し、当該ボタンが押下された以降、当該ユーザが予約した楽曲の演奏順が到来した場合、当該楽曲を再生せず待機させ、当該ユーザ以外のユーザが予約した曲がある場合はそれを再生し、中座ボタンが中座ボタンを押下したユーザにより再度押下されることにより、その時点で再生中の楽曲の次に、当該ユーザが予約し、中座中に待機させていた楽曲を再生することを特徴とするネットワークカラオケシステム。
【発明の詳細な説明】
【技術分野】
【０００１】
本発明は、カラオケ装置において歌唱予約した利用者が、歌唱順到来前に中座した場合の予約情報を取り扱う技術に関する。
【背景技術】
【０００２】
カラオケではカラオケ装置１台を専用リモコン１台で複数の利用者が歌唱予約をするというのが一般的で、いわゆるカラオケスナックのような店舗においては、１台のカラオケ装置を見知らぬ来店客同士が共用することも多く、この場合、リモコンを含めカラオケ装置の操作は専ら店のスタッフが行う。
また、いわゆるカラオケボックスのケースでは、店のスタッフの手を借りずに１台のリモコンで仲間同士の利用者だけでカラオケ装置の操作を行うことが多い。
【０００３】
ところで、演奏予約した利用者が何らかの理由によりカラオケ演奏の前に帰宅してしまったようなとき、上記スナックのケースでは、店のスタッフにより歌唱者のいなくなった楽曲の処理をすることができた。一方、カラオケボックスのケースでは、顔見知り同志でカラオケを楽しんでいるため、他の仲間たちが手動でその楽曲をキャンセルしたり、代わりに他の利用者が歌唱したりするなど自分たちの好きなように処理することで事足りていた。
【０００４】
一方、最近では、利用者の多機能携帯端末（スマートフォン）をカラオケ装置のリモコンとして利用できるものが見られ、中には専用リモコンを持たず、スマートフォンのアプリケーションだけで制御するカラオケ装置も登場している。
【０００５】
歌唱予約者がカラオケ装置から離れたり、帰宅してしまったりした場合のカラオケ装置側の対応については各種提案がされている。
【先行技術文献】
【特許文献】
【０００６】
【特許文献１】特開２０１２−４８０８３号公報
【特許文献２】特許４３０６６９４号公報
【特許文献３】特許４４７１３６８号公報
【発明の概要】
【発明が解決しようとする課題】
【０００７】
特許文献１は、一緒に歌唱を行うユーザを指定して演奏予約を行った場合において、演奏開始前に歌唱ユーザ不在となった場合の不都合を解消するというものである。具体的にはログアウトしたユーザをログインしているユーザに変更するというものである。
【０００８】
特許文献２は、同一のカラオケ装置に対して複数のユーザがそれぞれログインして皆でカラオケサービスを利用する際、ログアウトしたユーザの予約コンテンツを適切に扱うための技術を提供するものである。具体的には、予約ユーザのログアウト中にユーザの予約コンテンツの再生開始時期になった場合、当該予約コンテンツをログインユーザではないゲストユーザの予約扱いとするものである。また、当該ユーザが再びログインした場合、ゲストユーザの予約扱いからユーザの予約扱いに復帰させ、ログアウト中に再生が終了したユーザのコンテンツの予約を復活させるというものである。
【０００９】
特許文献３は、利用者ＩＤに基づき利用者登録をしているカラオケ演奏装置にて所定の利用者が当該カラオケシステムからのログアウトする際の当該利用者ＩＤに基づく利用者登録を抹消し、当該利用者による演奏予約が残っていたとしても、人為的な煩わしさを必要とせずに、これを自動的に消去できる装置の提供を課題とする。
【００１０】
特許文献１、特許文献２においては、１台の専用リモコンを共有することが前提で、先に帰った利用者の予約した楽曲を、残っている人たちで処理するというものである。
【００１１】
最近のカラオケボックスの利用者は、仲間でカラオケの場を共有するにとどまり、個々人が好きな曲を歌うことが多く、仲間といえども他人の予約した楽曲を歌唱することは必ずしも一般的ではなくなってきている。
【００１２】
特許文献２では、中座して戻った場合に触れているが、こちらはいったんログアウトしたあと、復帰時には再度ログインするということでユーザＩＤを持っている会員であることが前提になっている。
【００１３】
また、特許文献３はログアウトした利用者の予約楽曲を削除するのみで、中座から復帰した場合の言及はない。
最近のカラオケシステムではリモコンにより数多くの予約が可能であり、予約した本人も忘れた状態で、手洗いなどへ中座した場合、中座している間に予約曲の歌唱順が到達することもありうることであり、この場合に歌唱を後回しにして戻ってきたときにすみやかに歌唱できるという出願は見受けられない。
【課題を解決するための手段】
【００１４】
上記の問題を鑑み、本発明の請求項１は、
同時に複数の利用者が利用でき、複数の利用者の同時利用の際の利用者の別を、予め用意されている複数のゲストアカウントとして識別できるネットワークカラオケシステムにおいて、
同一人の複数回使用を含む不特定多数の利用者の、システムへの接続の都度、利用者個体に絶対的に紐づかないゲストアカウントを発行し、
楽曲予約を含む演奏指示を行ったゲストアカウントのユーザが歌唱前に席を外す場合、
リモコンに中座ボタンを設け、当該ボタンが押下された場合、カラオケ機器との接続を解除せず、予約された楽曲を含む指示情報は中座している間は歌唱順が到来しても再生せず、再開時に現在の歌唱楽曲の次に再生することを特徴とするというものである。
【発明の効果】
【００１５】
これにより、カラオケ利用者は予め会員登録しておく必要がなく、また新規に会員登録を行うことなく、途中で中座した場合、中座している間に歌唱順が到来した楽曲を再生せずに、中座が解除されたときに演奏開始することができる。
【図面の簡単な説明】
【００１６】
【図１】本発明の実施例に係るスマートフォンのイメージ図。
【図２】利用者Ｃ、Ｇが中座した初期状態の予約キューとアカウントリスト。
【図３】利用者Ｃの１曲目が歌唱順到来時の予約キューと中座予約キュー。
【図４】利用者Ｃの２曲目が歌唱順到来時の予約キューと中座予約キュー。
【図５】利用者Ｇの楽曲が歌唱到来時の予約キューと中座予約キュー。
【図６】利用者Ｃが中座より復帰した場合の予約キュー、中座予約キュー、アカウントリスト。
【図７】中座ボタン押下によるフローチャート。
【図８】楽曲進行処理における中座した利用者の処理。
【発明を実施するための形態】
【００１７】
本発明の実施例を説明する。利用者は自分のスマートフォンに専用アプリをインストールして、カラオケ装置のリモコンとして使用できる。図１はその画面の一例である。
【００１８】
利用者はめいめいが歌唱予約をし、図２のような予約キューが生成されている。ここで歌唱予約後にＣさんとＧさんが中座ボタンを押した場合、図7のようなフローにより「中座フラグ」が‘１’となり、図２のようなアカウントリストが作成される。
【００１９】
図３では、中座しているＣさんの楽曲３の前曲である楽曲２が終了した場合、この楽曲３を中座予約キューに移動する。その結果、予約キューの「次曲」は楽曲４に繰り上がる。このときの具体的なフローは図８のようになり、前曲の演奏が終わって次曲へ進む場合、次曲の予約者を読み出し、アカウントリストで中座フラグを検出すると、当該予約楽曲を中座予約キューへ移動する。その後、当該楽曲を除いた楽曲の繰り上げが行われ、次曲の再生が開始される。
【００２０】
図４ではさらにＣさんの楽曲５の前曲である楽曲４が終了した場合、この楽曲５を中座予約キューに移動する。その結果、予約キューの「次曲」は楽曲６に繰り上がる。
【００２１】
さらに図５では、同様に中座ボタンを押下したGさんの楽曲７を中座予約キューに移動している。
【００２２】
さて、その後Cさんが戻ってきて、再度「中座ボタン」が押下されると、図６の中座予約キューにあるCさんの予約した楽曲３、楽曲５が予約キューの歌唱中楽曲の次に移動される。と同時にアカウントリストのCさんの中座フラグも解除される。そのフローが図７である。特定の利用者が中座ボタンを押した場合、中座フラグが‘１’であれば、中座状態の解除とみなし、中座予約キューを照会し、中座予約キューにある楽曲の予約者が中座ボタン押下された利用者であれば、中座予約キーの楽曲を予約キューの割り込みプロセスに送る。既存のカラオケ機における割り込みプロセス（記載なし）は、渡された楽曲を現在の歌唱楽曲の次に割り込ませる機能を持つためこの機能を利用する。上記の動きを中座予約キューの全曲について行うことにより、中座ボタンを押下した中座解除を宣言した利用者の予約した全曲を元の順番通りに予約キューに戻すことができる。
【図１】
2015210402.tif 000003
【図２】
2015210402.tif 000004
【図３】
2015210402.tif 000005
【図４】
2015210402.tif 000006
【図５】
2015210402.tif 000007
【図６】
2015210402.tif 000008
【図７】
2015210402.tif 000009
【図８】
2015210402.tif 000010